【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
眼に眼内レンズ（１２）を挿入するためのインジェクタ装置（１）のためのインジェクタ先端部であって、前記眼内レンズ（１２）のための連続的な案内通路（７）を有するインジェクタ先端部において、
前記案内通路（７）が、断面図で見て、後方の第２半部（II）に沿って少なくとも部分的に外形凸部を有し、該外形凸部が、外方に湾曲した少なくとも２つの上部カーブ（２６，２７）を備え、該上部カーブに、外方に湾曲した２つの側部カーブ（２４，２５）がそれぞれ接続しており、該側部カーブに、外方に湾曲した底部カーブ（２３）が接続しており、
前記側部カーブ（２４，２５）および前記上部カーブ（２６，２７）が、少なくとも前記第２半部（II）で、前記側部カーブ（２４，２５）の２つの終端点（２４ａ，２４ｂ；２５ａ，２５ｂ）の間に延在する鉛直方向の接続直線（２９）と、前記上部カーブ（２６，２７）の第１端部（２６ａ，２７ａ）を構成する上部外形の極小点および前記上部カーブ（２６，２７）の第２端部（２６ｂ，２７ｂ）の間に延在する水平方向の接続直線（３０）との長さ比が０．７〜０．９５となるように形成されていることを特徴とするインジェクタ先端部。
【請求項２】
請求項１に記載のインジェクタ先端部において、
前記案内通路（７）が、該案内通路（７）の内部空間を制限する成形壁（８）を有し、該成形壁（８）によって、前記眼内レンズ（１２）が、前記案内通路（７）の長手方向軸線（Ａ）に沿って見て前方の第１半部（Ｉ）における少なくとも一箇所で、前記眼内レンズ（１２）の両側の側縁部（１７，１８）が前記眼内レンズ（１２）の光学部（１３）の上面（１６）に向けられるように折り畳まれるインジェクタ先端部。
【請求項３】
眼に眼内レンズ（１２）を挿入するためのインジェクタ装置（１）のためのインジェクタ先端部であって、前記眼内レンズ（１２）のための連続的な案内通路（７）を有するインジェクタ先端部において、
前記案内通路（７）が、断面図で見て、外方に湾曲した少なくとも２つの上部カーブ（２６，２７）と、外方に湾曲した２つの側部カーブ（２４，２５）と、外方に湾曲した底部カーブ（２３）を備える外形凸部を少なくとも部分的に有し、
前記案内通路（７）が、該通路（７）の内部空間を制限する成形壁（８）を有し、該成形壁（８）によって、前記眼内レンズ（１２）が、前記案内通路（７）の長手方向軸線（Ａ）に沿って見て前方の第１半部（Ｉ）における少なくとも一箇所で、前記眼内レンズ（１２）の両側の側縁部（１７，１８）が前記眼内レンズ（１２）の光学部（１３）の上面（１６）に向けられるように折り畳まれることを特徴とするインジェクタ先端部。
【請求項４】
請求項３に記載のインジェクタ先端部において、
前記案内通路（７）の成形壁（８）が、断面図で見て、後方の第２半部（II）に沿って少なくとも部分的に外形凸部を有し、該外形凸部が、外方に湾曲した少なくとも２つの上部カーブ（２６，２７）を備え、該上部カーブに、外方に湾曲した２つの側部カーブ（２４，２５）がそれぞれ接続しており、該側部カーブに、外方に湾曲した底部カーブ（２３）が接続しており、
前記側部カーブ（２４，２５）および前記上部カーブ（２６，２７）が、少なくとも前記第２半部（II）で、前記側部カーブ（２４，２５）の２つの終端点（２４ａ，２４ｂ；２５ａ，２５ｂ）の間に延在する鉛直方向の接続直線（２９）と、前記上部カーブ（２６，２７）の第１端部（２６ａ，２７ａ）を構成する上部外形の極小点および前記上部カーブ（２６，２７）の第２端部（２６ｂ，２７ｂ）の間に延在する水平方向の接続直線（３０）との長さ比が、０．７〜０．９５となるように形成されているインジェクタ先端部。
【請求項５】
請求項１から４までのいずれか一項に記載のインジェクタ先端部において、
前記側部カーブ（２４，２５）が、少なくとも前記第２半部（II）で、前記インジェクタ先端部（４）の長手方向軸線（Ａ）に沿った前記側部カーブ（２４，２５）の２つの終端点（２４ａ，２４ｂ；２５ａ，２５ｂ）の間における鉛直方向の接続直線（２９）の長さが、最大で２０％、特に最大で１０％だけ変化することを特徴とするインジェクタ先端部。
【請求項６】
請求項１から５までのいずれか一項に記載のインジェクタ先端部において、
少なくとも前記第２半部（II）で、前記上部カーブ（２６，２７）の第１端部（２６ａ，２７ａ）を構成する上部外形の極小点と、前記上部カーブ（２６，２７）の第２端部（２６ｂ，２７ｂ）との間に延在する接続直線（３０）の長さ（ａ５）が、前記案内通路（７）の鉛直方向の対称軸線（Ｋ）と前記側部カーブ（２４，２５）の極大点（２４ｃ，２５ｃ）との間の水平方向長さの５５％〜９０％であり、および／または、
前記第２半部（II）で前記上部カーブ（２６，２７）の２つの終端点（２６ａ，２６ｂ；２７ａ，２７ｂ）の間における水平方向の接続直線（３０）が、前記上部カーブ（２６，２７）の極大点（２６ｃ，２７ｃ）と、前記水平方向の接続直線（３０）との間の鉛直方向距離（ａ１）よりも２倍以上大きいインジェクタ先端部。
【請求項７】
請求項１から６までのいずれか一項に記載のインジェクタ先端部において、
前記第２半部（II）で、少なくとも部分的に、前記底部カーブ（２３）の極小点（２３ｃ）と２つの前記上部カーブ（２６，２７）の間における上記外形の極小値（２６ａ，２７ａ；３１）との間の鉛直方向距離（ａ２）が、前記上部カーブ（２６，２７）の極大値（２６ｃ，２７ｃ）と前記上部外形の前記極小点（２６ａ，２７ａ；３１）を通る前記水平方向の接続直線（３０）との間の前記鉛直方向距離（ａ１）よりも大きく、特に少なくとも５倍大きいインジェクタ先端部。
【請求項８】
請求項１から７までのいずれか一項に記載のインジェクタ先端部において、
少なくとも前記第２半部（II）で、前記側部カーブ（２４，２５）の前記終端点（２４ａ，２４ｂ；２５ａ，２５ｂ）を接続する鉛直方向の接続直線（２９）と、前記上部カーブ（２６，２７）の極大点（２６ｃ；２７ｃ）および前記底部湾曲部（２３）の極小点（２３ｃ）との間の長さ比が、０．６〜０．８、特に０．６５〜０．７８であるインジェクタ先端部。
【請求項９】
請求項１から８までのいずれか一項に記載のインジェクタ先端部において、
前記案内通路（７）の前記第２半部（II）における前記側部カーブ（２４，２５）および前記上部カーブ（２６，２７）が、底部極小点（２３ｃ）と、外形凹部（３１）、特に極小点（２６ａ，２７ａ）との間の距離（ａ２）が、前記外形凹部（３１）のこの位置で前記案内通路の内部を搬送されるべき前記眼内レンズ（１２）の鉛直方向厚さ（ａ８）よりも少なくとも１０％、特に少なくとも２０％だけ大きいインジェクタ先端部。
【請求項１０】
請求項１から９までのいずれか一項に記載のインジェクタ先端部において、
前記上部カーブ（２６，２７）の半径が、前記インジェクタ先端部（４）の長手方向軸線（Ａ）に沿って見て、前記第１端部（２６ａ，２７ａ）から前記第２端部（２６ｂ，２７ｂ）に向けて減少するように、特に連続的に減少するように構成され、および／または、
前記側部カーブ（２４，２５）の半径が、前記インジェクタ先端部（４）の前記長手方向軸線（Ａ）に沿って見て、第１端部（２４ａ，２５ａ）から第２端部（２４ｂ，２５ｂ）に向けて増大するように、特に連続的に増大するように構成され、および／または、
前記長手方向軸線（Ａ）に沿って見て、前記インジェクタ先端部（４）の第２半部（II）における前記上部カーブ（２６，２７）の半径が、前記側部カーブ（２４，２５）の半径の５０％〜１５０％であるインジェクタ先端部。
【請求項１１】
請求項１から１０までのいずれか一項に記載のインジェクタ先端部において、
前記案内通路（７）の全長にわたって見て、前記側部カーブ（２４，２５）の半径が０．６ｍｍよりも大きく、特に０．７ｍｍ〜１ｍｍであり、および／または、
前記案内通路（７）の少なくとも第２半部（II）で、前記上部カーブ（２６，２７）の半径が０．６ｍｍよりも大きく、特に０．６ｍｍ〜０．８ｍｍであるインジェクタ先端部。
【請求項１２】
請求項１から１１までのいずれか一項に記載のインジェクタ先端部において、
前記案内通路（７）が、該案内通路（７）の内部空間を制限する成形壁（８）を有し、該成形壁（８）によって、前記眼内レンズ（１２）が、前記案内通路（７）の前記長手方向軸線（Ａ）に沿って見て前方の第１半部（Ｉ）における少なくとも一箇所で、前記眼内レンズ（１２）の両側の側縁部（１７，１８）が前記眼内レンズ（１２）の光学部（１３）の上面（１６）に載置されるインジェクタ先端部。
【請求項１３】
請求項１から１２までのいずれか一項に記載のインジェクタ先端部（４）を有することを特徴とするインジェクタ装置。
【請求項１４】
請求項１３に記載のインジェクタ装置において、
該インジェクタ装置がインジェクタチューブ（２）を有し、該インジェクタチューブ（２）の前端部（９ａ）に前記インジェクタ先端部（４）が配置され、前記インジェクタチューブ（２）の内部、特に前記インジェクタ先端部（４）の前方で前記インジェクタチューブ（２）の内部に取付け可能な前記カセット（３）の内部に、前記眼内レンズ（１２）のための収容スペース（９）が形成されており、該収容スペース（９）が、長手方向断面図で見て前記インジェクタ先端部（４）に向けて先細りしており、特に連続的に先細りしておおり、および／または、
前記収容スペース（９）が制限壁部（１１ａ，１１ｂ）を有し、該制限壁部（１１ａ，１１ｂ）が、前記眼内レンズ（１２）が停止位置で前記収容スペース（９）に、底部に対して傾斜して配置されるように形成されており、前記収容スペース（９）の天井部をなす制限壁部（１１ａ）が、前記収容スペース（９）から前記インジェクタ先端部（４）に前記レンズ（１２）を送るプランジャ（１９）のための案内部（２０）を有しており、前記プランジャ（１９）が、前記収容スペース（９）の内部への移動時に前記案内部（２０）によって下方に曲げられるインジェクタ装置。
【請求項１５】
眼に眼内レンズ（１２）を挿入するためのインジェクタ装置（１）のインジェクタ先端部（４）で前記眼内レンズ（１２）を搬送し、前記眼内レンズ（１２）を連続的な案内通路（７）を通って前進させる方法において、
該案内通路（７）の内部空間を制限する成形壁（８）によって、前記案内通路（７）の長手方向軸線（Ａ）に沿って見て、前方の第１半部（Ｉ）の少なくとも一箇所で前記眼内レンズ（１２）を折り畳み、該眼内レンズ（１２）の両側の側縁部（１７，１８）を、眼内レンズ（１２）の光学部（１３）の上面（１６）に向けて位置決めすることを特徴とする方法。